(57)【要約】【課題】単一の受信方向を有する単指向性アンテナ、及び複数の受信方向を有する多指向性アンテナが接続され、地上波を受信するＴＶ放送受信装置において、チャンネルを選局する際、チャンネル毎に最適なアンテナを選択できるようにする。【解決手段】ＴＶ放送受信装置１は、２種類のアンテナＳ，Ｙとチューナ１１の間に配置されて単指向性アンテナＹとチューナ１１の接続及び多指向性アンテナＳとチューナ１１の接続を択一的に切り替えるＲＦ切替器１０と、それぞれのアンテナＳ，Ｙを介して受信したＴＶ放送信号に基づいて、ＴＶ放送信号の受信状態を判断し、各チャンネル毎に最適なアンテナＳ，Ｙを決定する制御部１７とを備える。制御部１７は、各チャンネルを選局する際に使用するアンテナＳ，Ｙを特定してＲＦ切替器１０によりアンテナＳ，Ｙとチューナ１１の接続を切り替えるので、チャンネル毎に最適なアンテナＳ，Ｙを選択することができる。【選択図】  図１
2006157340.tif 000002
【特許請求の範囲】
【請求項１】
単一の受信方向を有する単指向性アンテナ、及び複数の受信方向を有する多指向性アンテナが接続され、前記２種類のアンテナのいずれかで受信したテレビジョン放送信号の中から、希望するチャンネルを選局するチューナと、前記チューナに対して選局するチャンネルを指示するためのチャンネル制御信号、及び／又は、前記多指向性アンテナに対してテレビジョン放送信号を受信する際の受信方向を指示するための受信方向制御信号を出力することによりテレビジョン放送信号の受信動作を制御する受信制御手段とを備えたテレビジョン放送受信装置において、
前記多指向性アンテナを介してテレビジョン放送信号を受信する際に、前記チューナで選局したチャンネルについて、前記多指向性アンテナの複数ある受信方向のうちで最適な受信方向を検索する最適受信方向検索手段と、
前記２種類のアンテナと前記チューナの間に配置され、単指向性アンテナとチューナの接続と、多指向性アンテナとチューナの接続を択一的に切り替えるアンテナ接続切替手段と、
前記アンテナ接続切替手段により単指向性アンテナとチューナの接続を有効とし、該チューナで選局したチャンネルについて、受信したテレビジョン放送信号のＢＥＲ（Ｂｉｔ  Ｅｒｒｏｒ  Ｒａｔｅ）に基づいて、テレビジョン放送信号の受信状態を判断する第１の受信状態判断手段と、
前記アンテナ接続切替手段により多指向性アンテナとチューナの接続を有効とし、該チューナで選局したチャンネルについて、受信したテレビジョン放送信号のＢＥＲに基づいて、多指向性アンテナの最適受信方向におけるテレビジョン放送信号の受信状態を判断する第２の受信状態判断手段と、
前記第１の受信状態判断手段及び第２の受信状態判断手段に基づいて、各チャンネル毎にＢＥＲが低くなるアンテナを決定し、各チャンネルのテレビジョン放送信号を受信する際に使用するアンテナを特定するために利用される使用アンテナ情報を決定する使用アンテナ情報決定手段と、
前記使用アンテナ情報決定手段により決定された使用アンテナ情報、及び／又は、最適受信方向を記憶する使用アンテナ情報記憶手段と、を備え、
前記受信制御手段は、前記使用アンテナ情報に基づいて各チャンネルのテレビジョン放送信号を受信する際に使用するアンテナを特定して前記アンテナ接続切替手段によりアンテナとチューナの接続を切り替え、前記チャンネル制御信号、及び／又は、受信方向制御信号を出力することによりテレビジョン放送信号の受信動作を制御することを特徴とするテレビジョン放送受信装置。
【請求項２】
単一の受信方向を有する単指向性アンテナ、及び複数の受信方向を有する多指向性アンテナが接続され、前記２種類のアンテナのいずれかで受信したテレビジョン放送信号の中から、希望するチャンネルを選局するチューナと、前記チューナに対して選局するチャンネルを指示するためのチャンネル制御信号、及び／又は、前記多指向性アンテナに対してテレビジョン放送信号を受信する際の受信方向を指示するための受信方向制御信号を出力することによりテレビジョン放送信号の受信動作を制御する受信制御手段とを備えたテレビジョン放送受信装置において、
前記２種類のアンテナと前記チューナの間に配置され、単指向性アンテナとチューナの接続と、多指向性アンテナとチューナの接続を択一的に切り替えるアンテナ接続切替手段と、
前記アンテナ接続切替手段により単指向性アンテナとチューナの接続を有効とし、該チューナで選局したチャンネルについて、テレビジョン放送信号の受信状態を判断する第１の受信状態判断手段と、
前記アンテナ接続切替手段により多指向性アンテナとチューナの接続を有効とし、該チューナで選局したチャンネルについて、テレビジョン放送信号の受信状態を判断する第２の受信状態判断手段と、
前記第１の受信状態判断手段及び第２の受信状態判断手段に基づいて、各チャンネル毎に最適なアンテナを決定し、各チャンネルのテレビジョン放送信号を受信する際に使用するアンテナを特定するために利用される使用アンテナ情報を決定する使用アンテナ情報決定手段と、を備え、
前記受信制御手段は、前記使用アンテナ情報に基づいて各チャンネルのテレビジョン放送信号を受信する際に使用するアンテナを特定して前記アンテナ接続切替手段によりアンテナとチューナの接続を切り替え、前記チャンネル制御信号、及び／又は、受信方向制御信号を出力することによりテレビジョン放送信号の受信動作を制御することを特徴とするテレビジョン放送受信装置。
【請求項３】
前記使用アンテナ情報決定手段により決定された使用アンテナ情報を記憶する使用アンテナ情報記憶手段を、更に備えたことを特徴とする請求項２に記載のテレビジョン放送受信装置。
【発明の詳細な説明】
【技術分野】
【０００１】
本発明は、地上波を受信するテレビジョン放送受信装置に関する。
【背景技術】
【０００２】
従来から、地上波を受信するために、八木アンテナ等の指向性アンテナが使用されている。このような指向性アンテナは、強い指向性により弱い電波でも拾うことができる一方、特定方向からの電波しか拾うことができないという欠点がある。このような八木アンテナの特性は、電波塔が一箇所に集中している日本等においてはあまり問題にならないが、米国等においては、図１０に示されるように都市部を囲むように電波塔Ａ〜Ｅが分布している地域も多く、領域Ｒ２で示されるような指向性を有する八木アンテナＹを利用した場合、電波塔Ａ〜Ｄのように、距離が近くても受信できない局が多数存在するケースがあった。このため、このような問題を解決すべく、アンテナの指向性を変更できるように、受信装置からアンテナをコントロールする規格、ＥＩＡ−９０９”Antenna  Control  Interface”が制定された。これは、テレビジョン（ＴＶ）放送受信装置に通称スマートアンテナＳと呼ばれる指向性を変更できるアンテナを接続し、これをＴＶ放送受信装置側からモジュラ端子を介して制御するための規格である。なお、本明細書においては、八木アンテナ等の指向性アンテナを単指向性アンテナと呼び、指向性を変更できるアンテナを多指向性アンテナと呼ぶことにより両者を区別する。
【０００３】
このようなスマートアンテナＳを使用することで、領域Ｒ１で示されるように、あらゆる方向からの電波を拾えるようになる。しかしながら、スマートアンテナＳは、受信方向を切り替える（指向性を変更する）ための機構等を備えるため、通常、八木アンテナＹと同サイズのスマートアンテナＳを使用した場合、特定方向に対する性能が八木アンテナより低くなる場合があった。このため、使用するアンテナを八木アンテナＹからスマートアンテナＳに切り替えた場合、八木アンテナＹを使用して受信できていた電波（例えば、図１０において、領域Ｒ２内にあって且つ領域Ｒ１外に存在する電波塔Ｅから送信される電波）が受信できなくなることがあった。
【０００４】
なお、使用するアンテナの種類に応じて、記憶している偏波角調整データをアンテナに供給し、固定式アンテナ及び回転式アンテナの両方のアンテナに対応するようにしたＣＳチューナ（例えば、特許文献１参照）や、受信したディジタルテレビジョン放送信号のエラーレートに基づいて、受信アンテナを最適な方向に調整できるようにしたＴＶ放送受信装置（例えば、特許文献２参照）、複数のアンテナを簡単に切り替えることができるようにしたアンテナ切替回路等も知られている（例えば、特許文献３参照）。
【特許文献１】特開平６−１３２８４１号公報
【特許文献２】特開２００１−３２０７４４号公報
【特許文献３】特開平１１−１９６０１４号公報
【発明の開示】
【発明が解決しようとする課題】
【０００５】
しかしながら、接続された単指向性アンテナ（八木アンテナ）及び多指向性アンテナ（スマートアンテナ）のうちで、受信したＴＶ放送信号の受信状態に基づいて、チャンネル毎に最適なアンテナを決定し、チャンネルを選局する際、チャンネル毎に最適なアンテナを選択することができるＴＶ放送受信装置は知られていない。
【０００６】
本発明は、上記の問題を解決するためになされたものであり、単指向性アンテナ及び多指向性アンテナが接続され、地上波を受信するＴＶ放送受信装置において、チャンネルを選局する際、チャンネル毎に最適なアンテナを選択することができるＴＶ放送受信装置を提供することを目的とする。
【課題を解決するための手段】
【０００７】
上記目的を達成するために請求項１の発明は、単一の受信方向を有する単指向性アンテナ、及び複数の受信方向を有する多指向性アンテナが接続され、前記２種類のアンテナのいずれかで受信したテレビジョン放送信号の中から、希望するチャンネルを選局するチューナと、前記チューナに対して選局するチャンネルを指示するためのチャンネル制御信号、及び／又は、前記多指向性アンテナに対してテレビジョン放送信号を受信する際の受信方向を指示するための受信方向制御信号を出力することによりテレビジョン放送信号の受信動作を制御する受信制御手段とを備えたテレビジョン放送受信装置において、前記多指向性アンテナを介してテレビジョン放送信号を受信する際に、前記チューナで選局したチャンネルについて、前記多指向性アンテナの複数ある受信方向のうちで最適な受信方向を検索する最適受信方向検索手段と、前記２種類のアンテナと前記チューナの間に配置され、単指向性アンテナとチューナの接続と、多指向性アンテナとチューナの接続を択一的に切り替えるアンテナ接続切替手段と、前記アンテナ接続切替手段により単指向性アンテナとチューナの接続を有効とし、該チューナで選局したチャンネルについて、受信したテレビジョン放送信号のＢＥＲ（Ｂｉｔ  Ｅｒｒｏｒ  Ｒａｔｅ）に基づいて、テレビジョン放送信号の受信状態を判断する第１の受信状態判断手段と、前記アンテナ接続切替手段により多指向性アンテナとチューナの接続を有効とし、該チューナで選局したチャンネルについて、受信したテレビジョン放送信号のＢＥＲに基づいて、多指向性アンテナの最適受信方向におけるテレビジョン放送信号の受信状態を判断する第２の受信状態判断手段と、前記第１の受信状態判断手段及び第２の受信状態判断手段に基づいて、各チャンネル毎にＢＥＲが低くなるアンテナを決定し、各チャンネルのテレビジョン放送信号を受信する際に使用するアンテナを特定するために利用される使用アンテナ情報を決定する使用アンテナ情報決定手段と、前記使用アンテナ情報決定手段により決定された使用アンテナ情報、及び／又は、最適受信方向を記憶する使用アンテナ情報記憶手段と、を備え、前記受信制御手段は、前記使用アンテナ情報に基づいて各チャンネルのテレビジョン放送信号を受信する際に使用するアンテナを特定して前記アンテナ接続切替手段によりアンテナとチューナの接続を切り替え、前記チャンネル制御信号、及び／又は、受信方向制御信号を出力することによりテレビジョン放送信号の受信動作を制御する。
【０００８】
請求項２の発明は、単一の受信方向を有する単指向性アンテナ、及び複数の受信方向を有する多指向性アンテナが接続され、前記２種類のアンテナのいずれかで受信したテレビジョン放送信号の中から、希望するチャンネルを選局するチューナと、前記チューナに対して選局するチャンネルを指示するためのチャンネル制御信号、及び／又は、前記多指向性アンテナに対してテレビジョン放送信号を受信する際の受信方向を指示するための受信方向制御信号を出力することによりテレビジョン放送信号の受信動作を制御する受信制御手段とを備えたテレビジョン放送受信装置において、前記２種類のアンテナと前記チューナの間に配置され、単指向性アンテナとチューナの接続と、多指向性アンテナとチューナの接続を択一的に切り替えるアンテナ接続切替手段と、前記アンテナ接続切替手段により単指向性アンテナとチューナの接続を有効とし、該チューナで選局したチャンネルについて、テレビジョン放送信号の受信状態を判断する第１の受信状態判断手段と、前記アンテナ接続切替手段により多指向性アンテナとチューナの接続を有効とし、該チューナで選局したチャンネルについて、テレビジョン放送信号の受信状態を判断する第２の受信状態判断手段と、前記第１の受信状態判断手段及び第２の受信状態判断手段に基づいて、各チャンネル毎に最適なアンテナを決定し、各チャンネルのテレビジョン放送信号を受信する際に使用するアンテナを特定するために利用される使用アンテナ情報を決定する使用アンテナ情報決定手段と、を備え、前記受信制御手段は、前記使用アンテナ情報に基づいて各チャンネルのテレビジョン放送信号を受信する際に使用するアンテナを特定して前記アンテナ接続切替手段によりアンテナとチューナの接続を切り替え、前記チャンネル制御信号、及び／又は、受信方向制御信号を出力することによりテレビジョン放送信号の受信動作を制御することを特徴とする。
【０００９】
請求項３の発明は、請求項２に記載のテレビジョン放送受信装置において、前記使用アンテナ情報決定手段により決定された使用アンテナ情報を記憶する使用アンテナ情報記憶手段を、更に備えたことを特徴とする。
【発明の効果】
【００１０】
請求項１によれば、単指向性アンテナを用いた場合と多指向性アンテナを用いた場合のテレビジョン放送信号の受信状態に基づいて、各チャンネル毎に最適なアンテナを決定して、各チャンネルのテレビジョン放送信号を受信する際に使用するアンテナを特定するための使用アンテナ情報を決定し、この使用アンテナ情報に基づいて各チャンネルを選局する際に使用するアンテナを特定してアンテナ接続切替手段によりアンテナとチューナの接続を切り替えるので、チャンネルを選局する際、チャンネル毎に最適なアンテナを選択することができる。
【００１１】
また、最適受信方向検索手段により、チャンネル毎に、多指向性アンテナの複数ある受信方向のうちで最適な受信方向を検索することができるので、多指向性アンテナを用いてテレビジョン放送信号を受信する場合において、最適な状態でテレビジョン放送信号を受信することができる。  
【００１２】
また、使用アンテナ情報、及び／又は、最適受信方向を記憶する使用アンテナ情報記憶手段を備えるので、既に、使用アンテナ情報、及び／又は、最適受信方向が記憶されているチャンネルについては、再度、これらを決定する必要がなく、すぐに選局されたチャンネルについて、最適なアンテナを用いて、多指向性アンテナを用いる場合は最適な受信方向で、テレビジョン放送信号を受信することができる。
【００１３】
請求項２によれば、単指向性アンテナを用いた場合と多指向性アンテナを用いた場合のテレビジョン放送信号の受信状態に基づいて、各チャンネル毎に最適なアンテナを決定して、各チャンネルのテレビジョン放送信号を受信する際に使用するアンテナを特定するための使用アンテナ情報を決定し、この使用アンテナ情報に基づいて各チャンネルを選局する際に使用するアンテナを特定してアンテナ接続切替手段によりアンテナとチューナの接続を切り替えるので、チャンネルを選局する際、チャンネル毎に最適なアンテナを選択することができる。
【００１４】
請求項３によれば、請求項２の効果に加えて、使用アンテナ情報を記憶する使用アンテナ情報記憶手段を備えるので、既に、使用アンテナ情報が記憶されているチャンネルについては、再度、使用アンテナ情報を決定する必要がなく、すぐに選局されたチャンネルについて、最適なアンテナを用いてテレビジョン放送信号を受信することができる。
【発明を実施するための最良の形態】
【００１５】
本発明の一実施形態に係るテレビジョン（ＴＶ）放送受信装置について説明する。図１に示されるように、ＴＶ放送受信装置１は、八木アンテナ（単指向性アンテナ）Y、及びスマートアンテナ（多指向性アンテナ）Ｓに接続され、放送局から所定周波数帯域で配信されてくるディジタルＴＶ放送信号（以下、単にＴＶ放送信号という）を受信して、各チャンネルのＴＶ放送信号に含まれるＴＶ番組をモニタ装置３に出力する装置である。なお、本実施形態の説明では、ＴＶ番組の放送に使用されている搬送波の周波数帯域である物理チャンネルのことを、単にチャンネルという。
【００１６】
ＴＶ放送受信装置１は、ＲＦ切替器１０と、チューナ１１と、チューナ１１で受信したＴＶ放送信号に対して所定の信号処理を行い、復号化するフロントエンド１２と、ＭＰＥＧ圧縮されていたＴＶ放送信号をデコードするＭＰＥＧデコーダ１３と、デコードされたＴＶ放送信号に所定の表示画像を重畳させるオンスクリーンディスプレイ（ＯＳＤ）部１４と、各種情報を記憶するメモリ１５と、アンテナコントローラ２２に接続されるモジュラ端子１６と、ＴＶ放送受信装置１全体の制御を司る制御部１７とを備えている。また、スマートアンテナＳは、アンテナ部２１とアンテナコントローラ２２とを備えている。
【００１７】
ＲＦ切替器（アンテナ接続切替手段）１０は、２種類のアンテナＳ，Ｙとチューナ１１の間に配置され、八木アンテナＹとチューナ１１の接続と、スマートアンテナＳとチューナ１１の接続を択一的に切り替える。チューナ１１は、２種類のアンテナＳ，Ｙのいずれかで受信したＴＶ放送信号の中から、希望するチャンネルを選局する。
【００１８】
フロントエンド１２は、チューナ１１で選局されたチャンネルのＴＶ放送信号の誤り訂正処理を行い、多重化された信号から必要なＴＳ（Transport  Stream）パケットを分離し、ＴＶ放送受信装置１内の各ブロックへ、それぞれ必要なＴＳパケットを供給する。受信したＴＶ放送信号のＢＥＲ（Ｂｉｔ  Ｅｒｒｏｒ  Ｒａｔｅ）は、このフロントエンド１２において検出される。ＭＰＥＧデコーダ１３は、フロントエンド１２により分離された映像ストリームのデコード処理を行い、デコードされた映像信号をＯＳＤ部１４を介してモニタ装置３に出力する。
【００１９】
メモリ１５は、後述するオートスキャン処理等より作成される使用アンテナ情報テーブルを記憶する。図２に示されるように、使用アンテナ情報テーブル５０は、放送局から配信される各チャンネルのチャンネル番号５１、これら各チャンネルを受信する際に八木アンテナＹを使用するか否かを示す八木アンテナ使用情報（使用アンテナ情報）５２、及びこれら各チャンネルを受信する際にスマートアンテナＳを使用する場合の最適受信方向５３等の情報を有している。なお、図２においては、各チャンネルを受信する際に八木アンテナＹを使用する場合を○印で示し、八木アンテナＹを使用しない場合（この場合、必然的にスマートアンテナＳを使用することとなる）を無印で示している。
【００２０】
制御部（受信制御手段）１７は、上記使用アンテナ情報テーブル５０に基づいて各チャンネルのＴＶ放送信号を受信する際に使用するアンテナＳ，Ｙを特定してＲＦ切替器１０によりアンテナＳ，Ｙとチューナ１１の接続を切り替える。そして、チューナ１１に対して選局するチャンネルを指示するためのチャンネル制御信号を出力し、スマートアンテナＳのアンテナコントローラ２２に対してＴＶ放送信号を受信する際の受信方向を指示するための受信方向制御信号を出力することによりＴＶ放送信号の受信動作を制御する。その他、制御部１７は、後述する最適受信方向検索処理を実行することにより最適受信方向検索手段として機能し、オートスキャン処理を実行することにより、第１の受信状態判断手段、第２の受信状態判断手段、及び使用アンテナ情報決定手段として機能する。
【００２１】
スマートアンテナＳは、有効な受信方向を機械的又は電子的に切り替えることにより複数の受信方向Ｄ０〜Ｄ１５（図３参照）からＴＶ放送信号を受信するアンテナ部２１と、アンテナ部２１の動作を制御するアンテナコントローラ２２とを備えている。アンテナコントローラ２２は、ＴＶ放送受信装置１からの受信方向制御信号に応じて、アンテナ部２１の複数ある受信方向Ｄ０〜Ｄ１５のうち、指示された受信方向のみを有効にする。
【００２２】
次に、ＴＶ放送受信装置１によるオートスキャン処理について図４及び図５のフローチャートを参照して説明する。オートスキャン処理が開始されると、制御部１７は、チャンネルＣｈの値をセットし（＃１）、２チャンネルから６９チャンネルについて、ステップ＃３からステップ＃１９までの処理を繰り返す（＃２）。すなわち、まず、ステップ＃３において、チューナ１１にチャンネルＣｈの周波数を設定すると共に、ステップ＃４において、ＲＦ切替器１０の接続を八木アンテナ有効とする。そして、チューナ１１で選局されたチャンネルのＴＶ放送信号について、ＭＥＰＧデコーダ１３においてデコード処理を実行し（＃５）、デコードが成功したか否か判断する（＃６）。デコードが成功している場合には（＃６でＹＥＳ）、ＢＥＲを記憶し（＃７）、ＲＦ切替器１０の接続をスマートアンテナ有効とする（＃８）。一方、デコードが成功しなかった場合には（＃６でＮＯ）、ＢＥＲを記憶せずＲＦ切替器１０の接続をスマートアンテナ有効とする（＃８）。そして、ステップ＃９において、図６に示される最適受信方向検索処理を実行する。
【００２３】
最適受信方向検索処理が開始されると、制御部１７は、まず、受信方向Ｄｎの値をゼロにセットする（＃４１）。そして、受信方向Ｄｎの値が１６より大きいか否か判断し（＃４２）、全ての受信方向Ｄｎについてステップ＃４３からステップ＃４５までの処理を繰り返す。すなわち、まず、ステップ＃４３において、アンテナコントローラ２２に受信方向制御信号を出力して、スマートアンテナＳの有効な受信方向を受信方向Ｄｎに設定する。そして、この受信方向ＤｎにおけるＢＥＲを測定、記憶し（＃４４）、受信方向Ｄｎの値をインクリメントする（＃４５）。そして、全ての受信方向ＤｎについてＢＥＲの測定が終了すると（＃４２でＹＥＳ）、全受信方向のＢＥＲを比較し（＃４６）、最もＢＥＲの値が小さくなる受信方向を最適受信方向５３として決定する（＃４７）。制御部１７は、決定された最適受信方向５３を指示する受信方向制御信号をアンテナコントローラ２２に出力して、スマートアンテナＳの有効な受信方向を最適受信方向５３に設定する（＃４８）。
【００２４】
次に、図４におけるステップ＃１０以降の処理を説明する。最適受信方向検索処理により、スマートアンテナＳの受信方向として最適受信方向５３が設定されると（＃９）、ＭＥＰＧデコーダ１３においてデコード処理を実行し（＃１０）、デコードが成功したか否か判断する（＃１１）。そして、デコードが成功している場合には（＃１１でＹＥＳ）、ＢＥＲと共に最適受信方向５３を記憶し（＃１２）、デコードが成功しなかった場合には（＃１１でＮＯ）、ＢＥＲ等を記憶せず、図５に示されるステップ＃１３に移行する。
【００２５】
ステップ＃１３においては、八木アンテナＹでデコードが成功したか否か（即ち、ステップ＃７においてＢＥＲが記憶されたか否か）が判断され、八木アンテナＹでデコードが成功していない場合には（＃１３でＮＯ）、更にスマートアンテナＳでデコードが成功したか否か（即ち、ステップ＃１２においてＢＥＲ等が記憶されたか否か）が判断される（＃１４）。そして、八木アンテナＹ及びスマートアンテナＳ共にデコードが成功していなければ（ステップ＃１３でＮＯ、ステップ＃１４でＮＯ）、チャンネルＣｈの値をインクリメントして（＃１９）、ステップ＃２からの処理を繰り返す。ステップ＃１４において、スマートアンテナＳでデコードが成功している場合には（＃１４でＹＥＳ）、チャンネル番号５１（Ｃｈの値）と対応させて最適受信方向５３を記憶し（＃１５）、チャンネルＣｈの値をインクリメントして（＃１９）、ステップ＃２からの処理を繰り返す。
【００２６】
一方、ステップ＃１３において、八木アンテナＹでデコードが成功したと判断される場合には（＃１３でＹＥＳ）、更にスマートアンテナＳでデコードが成功したか否かが判断される（＃１６）。そして、スマートアンテナＳでデコードが成功していなければ（ステップ＃１６でＮＯ）、チャンネル番号５１と対応させて八木アンテナ使用情報５２を記憶し（＃１８）、チャンネルＣｈの値をインクリメントして（＃１９）、ステップ＃２からの処理を繰り返す。ステップ＃１６において、スマートアンテナＳでデコードが成功していれば（＃１６でＹＥＳ）、次に、ステップ＃７と、ステップ＃１２で記憶されたＢＥＲを比較し、スマートアンテナＳを用いた際のＢＥＲの方が小さいか否か判断する（＃１７）。そして、スマートアンテナＳのＢＥＲが八木アンテナＹのＢＥＲより小さければ、チャンネル番号５１と対応させて最適受信方向５３を記憶し（＃１５）、チャンネルＣｈの値をインクリメントして、ステップ＃２からの処理を繰り返す（＃１９）。一方、スマートアンテナＳのＢＥＲが八木アンテナＹのＢＥＲ以上であれば、チャンネル番号５１と対応させて八木アンテナ使用情報５２を記憶し（＃１８）、チャンネルＣｈの値をインクリメントして（＃１９）、ステップ＃２からの処理を繰り返す。そして、全てのチャンネルについて、ステップ＃３からステップ＃１９までの処理が終了すると（＃２でＹＥＳ）、オートスキャン処理を終了し、図２に示されるような使用アンテナ情報テーブル５０が作成される。このように、本実施形態においては、受信したＴＶ放送信号のＢＥＲに基づいて、ＴＶ放送信号の受信状態を判断する。
【００２７】
次に、選局処理について図７を参照して説明する。制御部１７は、例えば、ユーザによって視聴するチャンネルが選択されると、チャンネル制御信号を出力して選択されたチャンネルの周波数をチューナ１１に設定する（＃６１）。そして、選択されたチャンネルが使用アンテナ情報テーブル５０に登録されているか否か判断し、登録されていなければ（＃６２でＮＯ）、ノーシグナル処理に移行する。一方、選択されたチャンネルが使用アンテナ情報テーブル５０に登録されていれば（＃６２でＹＥＳ）、使用アンテナ情報テーブル５０に八木アンテナ使用情報５２が登録されているか否かを判断して、このチャンネルのＴＶ放送信号を受信する際に使用するアンテナがスマートアンテナＳか否か判断する（＃６３）。そして、使用アンテナ情報テーブル５０に八木アンテナ使用情報５２が登録されていなければ（＃６３でＹＥＳ）、ＲＦ切替器１０の接続をスマートアンテナ有効とすると共に（＃６４）、スマートアンテナＳに対して最適受信方向５３を設定し（＃６５）、受信したＴＶ放送信号に対してデコード処理を行う（＃６６）。一方、使用アンテナ情報テーブル５０に八木アンテナ使用情報５２が登録されている場合には（＃６３でＮＯ）、ＲＦ切替器１０の接続を八木アンテナ有効とし（＃６８）、受信したＴＶ放送信号に対してデコード処理を行う（＃６６）。そして、ＴＶ放送信号のデコードが成功すれば（＃６７でＹＥＳ）、受像処理に移行し、デコードが失敗すれば（＃６７でＮＯ）、ノーシグナル処理に移行する。
【００２８】
図８に示されるように、受像処理では、受信したＴＶ放送信号に対して、デコード処理を繰り返し（＃８１，＃８２でＹＥＳ）、デコードされた映像信号をモニタ装置３に出力する。一方、デコード処理の際にデコードが失敗した場合には（＃８２でＮＯ）、ノーシグナル処理に移行する。
【００２９】
次に、ノーシグナル処理について、図９を参照して説明する。制御部１７は、ノーシグナル処理が開始されると、まず、ＲＦ切替器１０の接続をスマートアンテナ有効に設定する（＃１０１）。そして、上述した最適受信方向検索処理を実行してスマートアンテナＳの受信方向を最適受信方向５３に設定し（＃１０２）、デコード処理を実行する（＃１０３）。そして、デコードが成功した場合には（＃１０４でＹＥＳ）、チャンネル番号５１に対応させて最適受信方向５３を記憶し（＃１０５）、上述した受像処理に移行する。
【００３０】
一方、デコードが失敗した場合には（＃１０４でＮＯ）、ＲＦ切替器１０の接続を八木アンテナ有効とし（＃１０６）、デコード処理を実行する（＃１０７）。そして、デコードが成功した場合には（＃１０８でＹＥＳ）、チャンネル番号５１に対応させて八木アンテナ使用情報５２を記憶し（＃１０９）、上述した受像処理に移行する。スマートアンテナＳ及び八木アンテナＹのいずれも用いてもデコードが失敗した場合には（＃１０４でＮＯ，＃１０８でＮＯ）、ステップ＃１０１からの処理を繰り返し、ノーシグナル処理を続行する。
【００３１】
以上のように、本実施形態のＴＶ放送受信装置１によれば、八木アンテナＹを用いた場合とスマートアンテナＳを用いた場合のＴＶ放送信号の受信状態に基づいて（ＢＥＲに基づいて）、各チャンネル毎に最適なアンテナＳ，Ｙを決定して、各チャンネルのＴＶ放送信号を受信する際に使用するアンテナＳ，Ｙを特定するための八木アンテナ使用情報５２を決定し、この八木アンテナ使用情報５２に基づいて各チャンネルを選局する際に使用するアンテナＳ，Ｙを特定してＲＦ切替器１０によりアンテナＳ，Ｙとチューナ１１の接続を切り替えるので、チャンネルを選局する際、チャンネル毎に最適なアンテナＳ，Ｙを選択することができる。
【００３２】
また、最適受信方向検索処理により、チャンネル毎に、スマートアンテナＳの複数ある受信方向のうちで最適な受信方向を検索することができるので、スマートアンテナＳを用いてＴＶ放送信号を受信する場合において、最適な状態でＴＶ放送信号を受信することができる。
【００３３】
また、八木アンテナ使用情報５２、及び／又は、最適受信方向５３を記憶するメモリ１５を備えるので、既に、八木アンテナ使用情報５２、及び／又は、最適受信方向５３が記憶されているチャンネルについては、再度、これらを決定する必要がなく、すぐに選局されたチャンネルについて、最適なアンテナＳ，Ｙを用いて、スマートアンテナＳを用いる場合は最適な受信方向で、ＴＶ放送信号を受信することができる。
【００３４】
なお、本発明は上記実施形態の構成に限られることなく種々の変形が可能である。例えば、ＴＶ放送信号の受信状態を判断する方法はＢＥＲに基づく方法でなくともよく、ＴＶ放送信号の受信強度に基づいてＴＶ放送信号の受信状態を判断するようにしてもよい。この場合、ＴＶ放送信号はディジタルＴＶ放送信号でなくてもよく、アナログＴＶ放送信号であってもよい。
【図面の簡単な説明】
【００３５】
【図１】本発明の一実施形態に係るＴＶ放送受信装置の構成を示すブロック図。
【図２】同受信装置のメモリに記憶される使用アンテナ情報テーブルの説明図。
【図３】同受信装置に接続されるスマートアンテナの受信方向の説明図。
【図４】同受信装置によるオートスキャン処理を示すフローチャート。
【図５】同受信装置によるオートスキャン処理を示すフローチャート。
【図６】同受信装置による最適受信方向検索処理を示すフローチャート。
【図７】同受信装置による選局処理を示すフローチャート。
【図８】同受信装置による受像処理を示すフローチャート。
【図９】同受信装置によるノーシグナル処理を示すフローチャート。
【図１０】八木アンテナ及びスマートアンテナの指向性の説明図。
【符号の説明】
【００３６】
１  テレビジョン放送受信装置
３  モニタ装置
１０  ＲＦ切替器
１１  チューナ
１２  フロントエンド
１３  ＭＰＥＧデコーダ
１４  オンスクリーンディスプレイ部
１５  メモリ（使用アンテナ情報記憶手段）
１６  モジュラ端子
１７  制御部（最適受信方向検索手段、第１の受信状態判断手段、第２の受信状態判断手段、使用アンテナ情報決定手段、受信制御手段）
２１  アンテナ部
２２  アンテナコントローラ
Ｓ  スマートアンテナ（多指向性アンテナ）
Ｙ  八木アンテナ（単指向性アンテナ）
【図１】
2006157340.tif 000003
【図２】
2006157340.tif 000004
【図３】
2006157340.tif 000005
【図４】
2006157340.tif 000006
【図５】
2006157340.tif 000007
【図６】
2006157340.tif 000008
【図７】
2006157340.tif 000009
【図８】
2006157340.tif 000010
【図９】
2006157340.tif 000011
【図１０】
2006157340.tif 000012